(57)【要約】【課題】  連結方向が上下方向と限定されず、左右方向や前後方向など任意の方向に連結でき、連結して遊ぶ範囲が広いブロック玩具を提供することにある。【解決手段】  この発明は、ブロック体１１〜１９と、吸着面２０を有する吸盤体２と、を備える。ブロック体１１〜１９には、少なくとも１個の吸盤体２のうち吸着面２０に対して反対側の部分が取り付けられている。この結果、この発明は、一のブロック体（ブロック体１１〜１９のうちの１個のブロック体）の吸盤体２の吸着面２０を他のブロック体（ブロック体１１〜１９のうちの１個のブロック体）あるいは他のブロック体の吸盤体２の吸着面２０に吸着させることができる。これにより、この発明は、一のブロック体と他のブロック体とを任意の方向に着脱可能に連結して遊ぶことができ、遊ぶ範囲を広くすることができる。【選択図】    図１
2017124147.tif 000002
【特許請求の範囲】
【請求項１】
ブロック体と、吸着面を有する吸盤体と、を備え、
前記ブロック体には、少なくとも１個の前記吸盤体のうち前記吸着面に対して反対側の部分が取り付けられている、
ことを特徴とするブロック玩具。
【請求項２】
前記ブロック体には、前記吸盤体を取り付けるためのスリットが設けられていて、
前記吸盤体は、
前記吸着面を有していて、前記ブロック体の外側に位置する吸着部と、
前記吸着部の前記吸着面に対して反対側の部分に一体に設けられていて、前記スリットの両壁面の間に挟み込まれて取り付けられている挟み込み取付部と、
前記挟み込み取付部の前記吸着部に対して反対側の部分に一体に設けられていて、前記ブロック体の内側に位置する止部と、
を有し、
前記挟み込み取付部の外形幅は、前記スリットの前記両壁面の幅と同等もしくはほぼ同等であり、
前記吸着部の外形幅および前記止部の外形幅は、前記スリットの前記両壁面の幅よりも大きい、
ことを特徴とする請求項１に記載のブロック玩具。
【請求項３】
前記止部の前記挟み込み取付部に対して反対側の部分には、吸着面が設けられていて、
前記止部は、前記吸着部と兼用する、
ことを特徴とする請求項２に記載のブロック玩具。
【請求項４】
前記ブロック体には、前記吸盤体を取り付けるための凸部が一体に設けられていて、
前記吸盤体は、
前記吸着面を有していて、前記ブロック体の外側に位置する吸着部と、
前記吸着部の前記吸着面に対して反対側の部分に一体に設けられていて、前記凸部に外側から嵌合して取り付けられている嵌合取付部と、
を有する、
ことを特徴とする請求項１に記載のブロック玩具。
【請求項５】
前記ブロック体には、前記吸盤体を取り付けるためのスリットが設けられていて、
前記吸盤体は、
前記吸着面を有していて、前記ブロック体の外側に位置する吸着部と、
前記吸着部の前記吸着面に対して反対側の部分に一体に設けられていて、前記スリットの両壁面の間に挟み込まれて取り付けられている挟み込み取付部と、
前記挟み込み取付部の前記吸着部に対して反対側の部分に一体に設けられていて、前記ブロック体の内側に位置する止部と、
を有し、
前記挟み込み取付部の外形幅は、前記スリットの前記両壁面の幅と同等もしくはほぼ同等であり、
前記吸着部の外形幅および前記止部の外形幅は、前記スリットの前記両壁面の幅よりも大きく、
前記止部は、前記ブロック体に一体に設けられている凸部に外側から嵌合して取り付けられる嵌合取付部と兼用する、
ことを特徴とする請求項１に記載のブロック玩具。
【請求項６】
前記吸盤体は、弾性部材から構成されていて、
前記スリットの前記両壁面のうち少なくとも一壁面には、ストッパ凸部が対向する壁面側に一体に突設されている、
ことを特徴とする請求項２、３または５に記載のブロック玩具。
【請求項７】
ブロック体と、吸盤体と、を備え、
前記吸盤体には、前記ブロック体の面やその他の物体の面に吸着する吸着面が少なくとも１個設けられている、
ことを特徴とするブロック玩具。
【発明の詳細な説明】
【技術分野】
【０００１】
この発明は、ブロック玩具に関するものである。
【背景技術】
【０００２】
ブロック玩具は、従来からある（たとえば、特許文献１、特許文献２）。以下、従来のブロック玩具について説明する。
従来の特許文献１のブロック玩具は、底面が開口した直方体形状の基台部と、円柱突起と、からなる。一のブロック玩具の底面開口に他のブロック玩具の円柱突起を嵌合して、一のブロック玩具と他のブロック玩具とを着脱可能に連結して遊ぶ。
従来の特許文献２のブロック玩具は、上下面に係合凸部および係合凹部が設けられている。一のブロック玩具の係合凸部と他のブロック玩具の係合凹部とを係合して、一のブロック玩具と他のブロック玩具とを着脱可能に連結して遊ぶ。
【先行技術文献】
【特許文献】
【０００３】
【特許文献１】特開２０１５−８０５０５号公報
【特許文献２】特開平８−２９９６１１号公報
【発明の概要】
【発明が解決しようとする課題】
【０００４】
ところが、前記の従来の特許文献１、２のブロック玩具は、連結方向が上下方向と限定されているために、左右方向や前後方向など任意の方向に連結できず、連結して遊ぶ範囲が限定されている。
【０００５】
この発明が解決しようとする課題は、連結方向が上下方向と限定されず、左右方向や前後方向など任意の方向に連結でき、連結して遊ぶ範囲が広いブロック玩具を提供することにある。
【課題を解決するための手段】
【０００６】
この発明は、ブロック体と、吸着面を有する吸盤体と、を備え、ブロック体には、少なくとも１個の吸盤体のうち吸着面に対して反対側の部分が取り付けられている、ことを特徴とする。
【０００７】
この発明は、ブロック体には、吸盤体を取り付けるためのスリットが設けられていて、吸盤体が、吸着面を有していて、ブロック体の外側に位置する吸着部と、吸着部の吸着面に対して反対側の部分に一体に設けられていて、スリットの両壁面の間に挟み込まれて取り付けられている挟み込み取付部と、挟み込み取付部の吸着部に対して反対側の部分に一体に設けられていて、ブロック体の内側に位置する止部と、を有し、挟み込み取付部の外形幅が、スリットの両壁面の幅と同等もしくはほぼ同等であり、吸着部の外形幅および止部の外形幅が、スリットの両壁面の幅よりも大きい、ことを特徴とする
【０００８】
この発明は、止部の挟み込み取付部に対して反対側の部分には、吸着面が設けられていて、止部が、吸着部と兼用する、ことを特徴とする。
【０００９】
この発明は、ブロック体には、吸盤体を取り付けるための凸部が一体に設けられていて、吸盤体が、吸着面を有していて、ブロック体の外側に位置する吸着部と、吸着部の吸着面に対して反対側の部分に一体に設けられていて、凸部に外側から嵌合して取り付けられている嵌合取付部と、を有する、ことを特徴とする。
【００１０】
この発明は、ブロック体には、吸盤体を取り付けるためのスリットが設けられていて、吸盤体が、吸着面を有していて、ブロック体の外側に位置する吸着部と、吸着部の吸着面に対して反対側の部分に一体に設けられていて、スリットの両壁面の間に挟み込まれて取り付けられている挟み込み取付部と、挟み込み取付部の吸着部に対して反対側の部分に一体に設けられていて、ブロック体の内側に位置する止部と、を有し、挟み込み取付部の外形幅が、スリットの両壁面の幅と同等もしくはほぼ同等であり、吸着部の外形幅および止部の外形幅が、スリットの両壁面の幅よりも大きく、止部が、ブロック体に一体に設けられている凸部に外側から嵌合して取り付けられる嵌合取付部と兼用する、ことを特徴とする。
【００１１】
この発明は、吸盤体が、弾性部材から構成されていて、スリットの両壁面のうち少なくとも一壁面には、ストッパ凸部が対向する壁面側に一体に突設されている、ことを特徴とする。
【００１２】
この発明は、ブロック体と、吸盤体と、を備え、吸盤体には、ブロック体の面やその他の物体の面に吸着する吸着面が少なくとも１個設けられている、ことを特徴とする。
【発明の効果】
【００１３】
この発明は、一のブロック体の吸盤体の吸着面を他のブロック体あるいは他のブロック体の吸盤体の吸着面に吸着させることにより、一のブロック体と他のブロック体とを任意の方向に着脱可能に連結して遊ぶことができる。この結果、この発明は、一のブロック体と他のブロック体とを連結して遊ぶ範囲を広くすることができる。
しかも、この発明は、吸盤体の吸着面が吸着する面を有する物体であれば、この発明にかかるブロック体以外の物体にもブロック体の吸盤体の吸着面を吸着させることにより、この発明にかかるブロック体とそれ以外の物体とを任意の方向に着脱可能に連結して遊ぶことができる。この結果、この発明は、この発明にかかるブロック体とそれ以外の物体とを連結して遊ぶ範囲を広くすることができる。
【図面の簡単な説明】
【００１４】
【図１】図１は、この発明の実施形態１を示す使用状態の説明図である。
【図２】図２は、第１ブロック体と吸盤体とを示す説明図である。
【図３】図３は、第２ブロック体と吸盤体とを示す説明図である。
【図４】図４は、第３ブロック体と吸盤体とを示す説明図である。
【図５】図５は、第４ブロック体と吸盤体とを示す説明図である。
【図６】図６は、第５ブロック体と吸盤体とを示す説明図である。
【図７】図７は、第６ブロック体と吸盤体とを示す説明図である。
【図８】図８は、第７ブロック体と吸盤体とを示す説明図である。
【図９】図９は、第８ブロック体と吸盤体とを示す説明図である。
【図１０】図１０は、第９ブロック体と吸盤体とを示す説明図である。
【図１１】図１１は、この発明の実施形態２を示すブロック体と吸盤体との説明図である。
【図１２】図１２は、ブロック体と吸盤体との取付手段を示す説明図である。
【図１３】図１３は、この発明の実施形態３を示すブロック体と吸盤体との説明図である。
【図１４】図１４は、この発明の実施形態４を示すブロック体と吸盤体との説明図である。
【図１５】図１５は、この発明の実施形態５を示すブロック体と吸盤体との説明図である。
【図１６】図１６は、この発明の実施形態６を示す吸盤体の説明図である。
【図１７】図１７は、この発明の実施形態７を示すブロック体と吸盤体の説明図である。
【図１８】図１８は、組み立てた使用状態を示す説明図である。
【図１９】図１９は、この発明の実施形態８を示すブロック体と吸盤体の説明図である。
【図２０】図２０は、組み立てた使用状態を示す説明図である。
【図２１】図２１は、この発明の実施形態９を示すブロック体と吸盤体の説明図である。
【図２２】図２２は、組み立てた使用状態を示す説明図である。
【図２３】図２３は、この発明の実施形態１０を示すブロック体と吸盤体の説明図である。
【図２４】図２４は、吸盤体を示す説明図である。
【図２５】図２５は、吸盤体を示す説明図である。
【発明を実施するための形態】
【００１５】
以下、この発明にかかるブロック玩具の実施形態（実施例）の１０例を図面に基づいて詳細に説明する。
【００１６】
（実施形態１の構成の説明）
図１〜図１０は、この発明にかかるブロック玩具の実施形態１を示す。以下、この実施形態１にかかるブロック玩具の構成について説明する。
図２において、図２（Ａ）は、第１ブロック体と吸盤体とを示す正面図である。図２（Ｂ）は、第１ブロック体と吸盤体とを示す平面図（図２（Ａ）におけるＢ矢視図）である。図２（Ｃ）は、第１ブロック体と吸盤体とを示す側面図（図２（Ａ）におけるＣ矢視図）である。
図３において、図３（Ａ）は、第２ブロック体と吸盤体とを示す正面図である。図３（Ｂ）は、第２ブロック体と吸盤体とを示す平面図（図３（Ａ）におけるＢ矢視図）である。図３（Ｃ）は、第２ブロック体と吸盤体とを示す側面図（図３（Ａ）におけるＣ矢視図）である。
図４において、図４（Ａ）は、第３ブロック体と吸盤体とを示す正面図である。図４（Ｂ）は、第３ブロック体と吸盤体とを示す平面図（図４（Ａ）におけるＢ矢視図）である。図４（Ｃ）は、第３ブロック体と吸盤体とを示す側面図（図４（Ａ）におけるＣ矢視図）である。
図５において、図５（Ａ）は、第４ブロック体と吸盤体とを示す正面図である。図５（Ｂ）は、第４ブロック体と吸盤体とを示す平面図（図５（Ａ）におけるＢ矢視図）である。図５（Ｃ）は、第４ブロック体と吸盤体とを示す底面図（図５（Ａ）におけるＣ矢視図）である。
図６において、図６（Ａ）は、第５ブロック体と吸盤体とを示す正面図である。図６（Ｂ）は、第５ブロック体と吸盤体とを示す平面図（図６（Ａ）におけるＢ矢視図）である。
図７において、図７（Ａ）は、第６ブロック体と吸盤体とを示す正面図である。図７（Ｂ）は、第６ブロック体と吸盤体とを示す平面図（図７（Ａ）におけるＢ矢視図）である。図７（Ｃ）は、第６ブロック体と吸盤体とを示す側面図（図７（Ａ）におけるＣ矢視図）である。
図８において、図８（Ａ）は、第７ブロック体と吸盤体とを示す正面図である。図８（Ｂ）は、第７ブロック体と吸盤体とを示す平面図（図８（Ａ）におけるＢ矢視図）である。図８（Ｃ）は、第７ブロック体と吸盤体とを示す側面図（図８（Ａ）におけるＣ矢視図）である。図８（Ｄ）は、第７ブロック体と吸盤体とを示す底面図（図８（Ａ）におけるＤ矢視図）である。
図９において、図９（Ａ）は、第８ブロック体と吸盤体とを示す正面図である。図９（Ｂ）は、第８ブロック体と吸盤体とを示す平面図（図９（Ａ）におけるＢ矢視図）である。図９（Ｃ）は、第８ブロック体と吸盤体とを示す側面図（図９（Ａ）におけるＣ矢視図）である。図９（Ｄ）は、第８ブロック体と吸盤体とを示す底面図（図９（Ａ）におけるＤ矢視図）である。
図１０において、図１０（Ａ）は、第９ブロック体と吸盤体とを示す正面図である。図１０（Ｂ）は、第９ブロック体と吸盤体とを示す平面図（図１０（Ａ）におけるＢ矢視図）である。図１０（Ｃ）は、第９ブロック体と吸盤体とを示す側面図（図１０（Ａ）におけるＣ矢視図）である。
【００１７】
この実施形態１にかかるブロック玩具は、ブロック体１１、１２、１３、１４、１５、１６、１７、１８、１９（以下、「１１〜１９」と称する場合がある）と、吸着面２０を有する吸盤体２と、を備える。前記ブロック体１１〜１９には、少なくとも１個の前記吸盤体２のうち前記吸着面２０に対して反対側の部分が取り付けられている。
【００１８】
（ブロック体１１〜１９の説明）
前記ブロック体は、第１ブロック体１１、第２ブロック体１２、第３ブロック体１３、第４ブロック体１４、第５ブロック体１５、第６ブロック体１６、第７ブロック体１７、第８ブロック体１８、第９ブロック体１９を有する。前記ブロック体１１〜１９は、この例では、ブロー成形（中空成形）や射出成型などの樹脂製からなる。
なお、前記ブロック体１１〜１９としては、樹脂製以外に木製等であっても良い。前記ブロック体１１〜１９は、以下、説明するように、種々様々な形状をなしている。なお、前記ブロック体１１〜１９には、高さ低い台座（図１（Ａ）中の第２ブロック体１２の下面、第３ブロック体１３の上面を参照）を設けても良い。
【００１９】
前記第１ブロック体１１は、図２（Ａ）、（Ｂ）、（Ｃ）に示すように、ロボットの顔を含む頭部を模したものである。前記第１ブロック体１１は、正面視が若干横長の長方形形状をなし、平面視が横長の長方形形状をなし、側面視が三角形形状をなす。前記第１ブロック体１１の背面（後面）と底面（下面）とには、前記吸盤体２がそれぞれ取り付けられている。
【００２０】
前記第２ブロック体１２は、図３（Ａ）、（Ｂ）、（Ｃ）に示すように、ロボットの胸部を模したものである。前記第２ブロック体１２は、正面視が若干横長の長方形形状をなし、平面視が横長の長方形形状をなし、側面視が縦長の長円形形状をなす。前記第２ブロック体１２の左右両側面（左右の横面）には、前記吸盤体２がそれぞれ取り付けられている。なお、図１（Ａ）に示すように、前記第２ブロック体１２の底面にも前記吸盤体２を取り付けても良い。
【００２１】
前記第３ブロック体１３は、図４（Ａ）、（Ｂ）、（Ｃ）に示すように、ロボットの腰部を模したものである。前記第３ブロック体１３は、正面視がほぼ五角形形状をなし、平面視が横長の長方形形状をなし、側面視が縦長の長方形形状をなす。前記第３ブロック体１３の平面（上面）と下側の左右両傾斜面（左右の下傾斜面）とには、前記吸盤体２がそれぞれ取り付けられている。
【００２２】
前記第４ブロック体１４は、図５（Ａ）、（Ｂ）、（Ｃ）に示すように、ロボットの上腕部を模したものである。前記第４ブロック体１４は、正面視がほぼ正方形形状をなし、平面視および底面視が横長の長方形形状をなす。前記第４ブロック体１４の側面と底面とには、前記吸盤体２がそれぞれ取り付けられている。
【００２３】
前記第５ブロック体１５は、図６（Ａ）、（Ｂ）に示すように、ロボットの下腕部を模したものである。前記第５ブロック体１５は、正面視が縦長の長方形形状をなし、平面視がほぼ正方形形状をなす。前記第５ブロック体１５の平面と底面とには、前記吸盤体２がそれぞれ取り付けられている。
【００２４】
前記第６ブロック体１６は、図７（Ａ）、（Ｂ）、（Ｃ）に示すように、ロボットの手部を模したものである。前記第６ブロック体１６は、正面視がほぼ正方形形状をなし、平面視が横長の長方形形状をなし、側面視が縦長の長方形形状をなす。また、前記第６ブロック体１６の中央部には、円筒形状の透孔１６０が設けられている。さらに、前記第６ブロック体１６には、側面から前記透孔１６０にかけて溝１６１が設けられている。前記第６ブロック体１６の平面には、前記吸盤体２が取り付けられている。
【００２５】
前記第７ブロック体１７は、図８（Ａ）、（Ｂ）、（Ｃ）、（Ｄ）に示すように、ロボットの上脚部を模したものである。前記第７ブロック体１７は、正面視が縦長の台形形状をなし、側面視が縦長の長方形形状をなし、平面視および底面視がほぼ正方形形状をなす。前記第７ブロック体１７の平面は、正面から背面にかけて下から上に傾斜している。前記第７ブロック体１７の傾斜平面と底面とには、前記吸盤体２がそれぞれ取り付けられている。
【００２６】
前記第８ブロック体１８は、図９（Ａ）、（Ｂ）、（Ｃ）、（Ｄ）に示すように、ロボットの下脚部を模したものである。前記第８ブロック体１８は、正面視が縦長の長方形形状をなし、側面視が縦長のほぼ台形形状をなし、平面視および底面視がほぼ縦長の長方形形状をなす。前記第８ブロック体１８の正面は、内側に凹湾曲している。前記第８ブロック体１８の背面は、外側に凸湾曲している。前記第８ブロック体１８の平面と底面とには、前記吸盤体２がそれぞれ取り付けられている。
【００２７】
前記第９ブロック体１９は、図１０（Ａ）、（Ｂ）、（Ｃ）に示すように、ロボットの足部を模したものである。前記第９ブロック体１９は、正面視がほぼ正方形形状をなし、平面視がほぼ縦長の長方形形状をなし、側面視がほぼ台形形状をなす。前記第９ブロック体１９の正面の上半部は、正面から背面にかけて下から上に傾斜している。あるいは、前記第９ブロック体１９の平面の前半部は、正面から背面にかけて下から上に傾斜している。前記第９ブロック体１９の平面の後半部は、水平面をなしている。前記第９ブロック体１９の平面の後半部には、前記吸盤体２が取り付けられている。
【００２８】
（吸盤体２の説明）
前記吸盤体２は、一般の吸盤体（吸着盤）である。前記吸盤体２は、この例では、樹脂製やゴム製などの弾性部材（可撓性部材）からなる。前記吸盤体２は、前記吸着面２０を有する。
前記吸着面２０は、前記ブロック体１１〜１９の面やその他の物体の面に吸着する。すなわち、前記吸着面２０は、前記吸盤体２の弾性（可撓性）を利用して前記の面に吸着して内部を真空に近い状態にして気圧などの圧力差を利用して前記ブロック体１１〜１９やその他の物体に吸着する。前記ブロック体１１〜１９の面やその他の物体の面は、前記吸盤体２の前記吸着面２０が吸着し易いように平滑面が好ましい。なお、前記ブロック体１１〜１９の面やその他の物体の面は、平滑面でなくても良い。
【００２９】
前記吸盤体２のうち前記吸着面２０に対して反対側の部分は、前記ブロック体１１〜１９の面に取り付けられている。前記吸盤体２は、少なくとも１個前記ブロック体１１〜１９に取り付けられている。前記ブロック体１１〜１９と前記吸盤体２とは、一体物からなり、相互に一体に取り付けられている。または、前記ブロック体１１〜１９と前記吸盤体２とは、それぞれ別個の物からなり、相互に適宜な取付手段により取り付けられている。適宜な取付手段としては、たとえば、レーザー溶着、超音波溶着、熱溶着などの溶着、あるいは、嵌合等の機械的取付、あるいは、接着などである。
【００３０】
（実施形態１の作用の説明）
この実施形態１にかかるブロック玩具は、以上のごとき構成からなり、以下、その作用について説明する。
【００３１】
図１（Ａ）に示すように、第１ブロック体１１の底面の吸盤体２の吸着面２０を、第２ブロック体１２の平面に、吸着させる。第２ブロック体１２の底面に、第３ブロック体１３の平面の吸盤体２の吸着面２０を、吸着させる。
なお、図１（Ａ）に示すように、第２ブロック体１２の底面にも吸盤体２が取り付けられている場合においては、第２ブロック体１２の底面の吸盤体２の吸着面２０と、第３ブロック体１３の平面の吸盤体２の吸着面２０と、を相互に吸着させる。
第２ブロック体１２の左右両側面の吸盤体２の吸着面２０と、２個の第４ブロック体１４の側面の吸盤体２の吸着面２０と、をそれぞれ相互に吸着させる。２個の第４ブロック体１４の底面の吸盤体２の吸着面２０と、２個の第５ブロック体１５の平面の吸盤体２の吸着面２０と、をそれぞれ相互に吸着させる。
２個の第５ブロック体１５の底面の吸盤体２の吸着面２０と、２個の第６ブロック体１６の平面の吸盤体２の吸着面２０と、をそれぞれ相互に吸着させる。
第３ブロック体１３の左右両傾斜面の吸盤体２の吸着面２０と、２個の第７ブロック体１７の傾斜平面の吸盤体２の吸着面２０と、をそれぞれ相互に吸着させる。
２個の第７ブロック体１７の底面の吸盤体２の吸着面２０と、２個の第８ブロック体１８の平面の吸盤体２の吸着面２０と、をそれぞれ相互に吸着させる。
２個の第８ブロック体１８の底面の吸盤体２の吸着面２０と、２個の第９ブロック体１９の平面の吸盤体２の吸着面２０と、をそれぞれ相互に吸着させる。
すると、図１（Ａ）に示すように、立ち姿のロボットを組み立てることができる。
【００３２】
図１（Ｂ）に示すように、第１ブロック体１１の底面の吸盤体２の吸着面２０と、第２ブロック体１２の一方の側面の吸盤体２の吸着面２０と、を相互に吸着させる。
第２ブロック体１２の他方の側面の吸盤体２の吸着面２０と、第３ブロック体１３の平面の吸盤体２の吸着面２０と、を相互に吸着させる。
第２ブロック体１２の正面（前面）に、２個の第４ブロック体１４の側面の吸盤体２の吸着面２０を、それぞれ吸着させる。
２個の第４ブロック体１４の底面の吸盤体２の吸着面２０と、２個の第６ブロック体１６の平面の吸盤体２の吸着面２０と、をそれぞれ相互に吸着させる。
第２ブロック体１２の平面および底面に、２個の第７ブロック体１７の傾斜平面の吸盤体２の吸着面２０を、それぞれ吸着させる。
２個の第７ブロック体１７の底面の吸盤体２の吸着面２０と、２個の第８ブロック体１８の平面の吸盤体２の吸着面２０と、をそれぞれ相互に吸着させる。
第２ブロック体１２の背面に、２個の第９ブロック体１９の平面の吸盤体２の吸着面２０を、それぞれ吸着させる。
すると、図１（Ｂ）に示すように、左右に翼を有する飛行ロボットあるいは走行ロボットあるいは潜水ロボットを組み立てることができる。
【００３３】
図１（Ｃ）に示すように、第１ブロック体１１の底面の吸盤体２の吸着面２０を、第２ブロック体１２の平面に、吸着させる。
第２ブロック体１２の底面に、第３ブロック体１３の平面の吸盤体２の吸着面２０を、吸着させる。
第２ブロック体１２の左右両側面の吸盤体２の吸着面２０に、２個の第５ブロック体１５の一側面を、それぞれ吸着させる。
２個の第５ブロック体１５の底面の吸盤体２の吸着面２０と、２個の第７ブロック体１７の傾斜平面の吸盤体２の吸着面２０と、をそれぞれ相互に吸着させる。
２個の第７ブロック体１７の底面の吸盤体２の吸着面２０と、２個の第６ブロック体１６の平面の吸盤体２の吸着面２０と、をそれぞれ相互に吸着させる。
第３ブロック体１３の正面および背面に、２個の第４ブロック体１４の側面の吸盤体２の吸着面２０を、それぞれ吸着させる。
２個の第４ブロック体１４の底面の吸盤体２の吸着面２０に、２個の第８ブロック体１８の背面を、それぞれ吸着させる。
２個の第８ブロック体１８の正面に、２個の第９ブロック体１９の平面の吸盤体２の吸着面２０を、それぞれ吸着させる。
すると、図１（Ｃ）に示すように、スタート姿のロボットを組み立てることができる。
【００３４】
（実施形態１の効果の説明）
この実施形態１にかかるブロック玩具は、以上のごとき構成および作用からなり、以下、その効果について説明する。
【００３５】
この実施形態１にかかるブロック玩具は、一のブロック体（ブロック体１１〜１９のうちの１個のブロック体）の吸盤体２の吸着面２０を他のブロック体（ブロック体１１〜１９のうちの１個のブロック体）あるいは他のブロック体の吸盤体２の吸着面２０に吸着させることにより、一のブロック体と他のブロック体とを任意の方向に着脱可能に連結して遊ぶことができる。この結果、この実施形態１にかかるブロック玩具は、一のブロック体と他のブロック体とを連結して遊ぶ範囲を広くすることができる。
しかも、この実施形態１にかかるブロック玩具は、吸盤体２の吸着面２０が吸着する面を有する物体であれば、この実施形態１にかかるブロック玩具のブロック体１１〜１９以外の物体にもブロック体１１〜１９の吸盤体２の吸着面２０を吸着させることにより、この実施形態１にかかるブロック玩具のブロック体１１〜１９とそれ以外の物体とを任意の方向に着脱可能に連結して遊ぶことができる。この結果、この実施形態１にかかるブロック玩具は、この実施形態１にかかるブロック玩具のブロック体１１〜１９とそれ以外の物体とを連結して遊ぶ範囲を広くすることができる。さらに、この実施形態１にかかるブロック玩具は、知育玩具としても最適である。
【００３６】
（実施形態２の説明）
図１１、図１２は、この発明にかかるブロック玩具の実施形態２を示す。
図１１において、図１１（Ａ）は、ブロック体の板部１および箱部１０と吸盤体２とを示す平面図である。図１１（Ｂ）は、ブロック体の板部１および箱部１０と吸盤体２とを示す断面図（図１１（Ａ）におけるＢ−Ｂ線断面図）である。
図１２において、図１２（Ａ）は、ブロック体の板部１と吸盤体２との分解状態を示す平面図である。図１２（Ｂ）は、ブロック体の板部１および箱部１０と吸盤体２との分解状態を示す断面図および正面図である。
図１１、図１２中、図１〜図１０と同符号は、同一の物を示す。
【００３７】
前記ブロック体の前記板部１および前記箱部１０は、この例では、射出成型から製造されている。前記板部１は、平面視がほぼ正方形の板形状をなす。前記箱部１０は、中空形状のほぼ立方体形状をなす。前記箱部１０の一面には、開口部１０１が設けられている。前記開口部１０１の平面視形状は、前記板部１の平面視形状とほぼ同等の正方形をなす。
【００３８】
前記板部１には、前記吸盤体２を取り付けるためのスリット３が設けられている。前記スリット３は、前記板部１の１辺の中点から前記板部１一面の中央までの間に設けられている。前記スリット３の相対向する両壁面には、ストッパ凸部３１が対向する壁面側に一体に突設されている。前記ストッパ凸部３１は、それぞれ、半円柱形状をなす。
【００３９】
前記吸盤体２は、吸着部２１と、挟み込み取付部２２と、止部２３と、を有する。前記吸着部２１は、球の一部の形状（椀形状）をなす。
前記吸着部２１には、球面の一部の形状をなす前記の実施形態１の吸着面２０が設けられている。前記吸着部２１は、前記ブロック体の前記板部１および前記箱部１０の外側に位置する。
前記挟み込み取付部２２は、円柱形状をなす。前記挟み込み取付部２２は、前記吸着部２１の前記吸着面２０に対して反対側の部分に一体に設けられている。前記挟み込み取付部２２は、前記スリット３の両壁面の間に挟み込まれて取り付けられている。
前記止部２３は、前記吸着部２１と同様に、球の一部の形状（椀形状）をなす。前記止部２３は、前記挟み込み取付部２２の前記吸着部２１に対して反対側の部分に一体に設けられている。前記止部２３は、前記ブロック体の前記板部１および前記箱部１０の内側に位置する。
【００４０】
前記挟み込み取付部２２の外形幅Ｗ１は、前記スリット３の前記両壁面の幅Ｗ２と同等もしくはほぼ同等である。前記吸着部２１の外形幅Ｗ３および前記止部２３の外形幅Ｗ３は、前記スリット３の前記両壁面の前記幅Ｗ２よりも大きい。なお、前記スリット３の相対向する前記ストッパ凸部３１の幅は、前記挟み込み取付部２２の外形幅Ｗ１および前記スリット３の前記両壁面の前記幅Ｗ２より小さい。前記スリット３の前記ストッパ凸部３１よりも奥の部分は、前記挟み込み取付部２２の径とほぼ同等径の円形の一部をなす。
【００４１】
前記止部２３の前記挟み込み取付部２２に対して反対側の部分には、吸着面２４が設けられている。前記止部２３側の前記吸着面２４は、前記吸着部２１の前記吸着面２０と同様の吸着面をなす。前記止部２３は、前記吸着部２１と兼用する。
【００４２】
前記ブロック体の前記板部１および前記箱部１０と前記吸盤体２とは、それぞれ、別個に製造されている。前記板部１の前記スリット３に前記吸盤体２の前記挟み込み取付部２２を挿入する。前記挟み込み取付部２２を前記ストッパ凸部３１を越して前記スリット３の奥に位置させる。これにより、前記挟み込み取付部２２は、前記板部１の前記スリット３の両壁面の間に挟み込まれて取り付けられる。
【００４３】
前記吸盤体２を取り付けた前記板部１を前記箱部１０の前記開口部１０１に位置させて、前記開口部１０１を前記板部１により閉塞する。この状態において、前記板部１の辺（全辺もしくは一部の辺）と、前記箱部１０の前記開口部１０１の縁部（全縁部もしくは一部の縁部）とを、相互に適宜な固定手段により固定する。適宜な固定手段としては、たとえば、レーザー溶着、超音波溶着、熱溶着などの溶着、あるいは、嵌合等の機械的固定、あるいは、接着などである。
【００４４】
ここで、図１１、図１２に示すように、前記吸盤体２の前記吸着部２１は、前記ブロック体の前記板部１および前記箱部１０の外側に位置し、前記吸盤体２の前記止部２３は、前記ブロック体の前記板部１および前記箱部１０の内側に位置する。なお、前記止部２３を吸着部として使用する場合には、前記止部２３を前記ブロック体の前記板部１および前記箱部１０の外側に位置させ、かつ、前記吸着部２１を前記ブロック体の前記板部１および前記箱部１０の内側に位置させる。
【００４５】
この実施形態２にかかるブロック玩具は、前記の構造からなるものであるから、前記の実施形態１にかかるブロック玩具の作用効果とほぼ同様の作用効果を達成することができる。
【００４６】
特に、この実施形態２にかかるブロック玩具は、ブロック体の板部１にスリット３を設け、吸盤体２に挟み込み取付部２２を設けたものである。このために、この実施形態２にかかるブロック玩具は、ブロック体の板部１のスリット３に吸盤体２の挟み込み取付部２２を挿入して、スリット３の両壁面の間に挟み込み取付部２２を挟み込む。これにより、この実施形態２にかかるブロック玩具は、それぞれ別個に製造したブロック体の板部１に吸盤体２を簡単に取り付けることができる。
【００４７】
また、この実施形態２にかかるブロック玩具は、挟み込み取付部２２の外形幅Ｗ１がスリット３の両壁面の幅Ｗ２と同等もしくはほぼ同等であり、かつ、吸着部２１の外形幅Ｗ３および止部２３の外形幅Ｗ３がスリット３の両壁面の前記幅Ｗ２よりも大きい。このために、この実施形態２にかかるブロック玩具は、挟み込み取付部２２をスリット３の両壁面の間に挟み込むと、吸着部２１および止部２３により、吸盤体２がブロック体の板部１および箱部１０から簡単に脱落するのを防ぐことができる。
【００４８】
しかも、この実施形態２にかかるブロック玩具は、スリット３の相対向する両壁面にストッパ凸部３１を対向する壁面側に一体に突設したものである。このために、この実施形態２にかかるブロック玩具は、挟み込み取付部２２をストッパ凸部３１を越してスリット３の奥に位置させることにより、吸盤体２がブロック体の板部１から簡単に脱落するのをさらに確実に防ぐことができる。
【００４９】
その上、この実施形態２にかかるブロック玩具は、板部１の辺と箱部１０の開口部１０１の縁部とが相互に固定されていて、図１１（Ｂ）に示すように、板部１のスリット３の開口部が箱部１０の開口部１０１の縁部により閉塞されている。このために、この実施形態２にかかるブロック玩具は、吸盤体２がブロック体の板部１および箱部１０から簡単に脱落するのを確実に防ぐことができる。
【００５０】
さらに、この実施形態２にかかるブロック玩具は、止部２３が吸着部２１と兼用するものである。このために、この実施形態２にかかるブロック玩具は、ブロック体の板部１および箱部１０に吸盤体２を取り付ける際に、吸盤体２の上下位置関係、すなわち、吸着部２１と止部２３との位置関係を無視して、ブロック体の板部１および箱部１０に吸盤体２を簡単に取り付けることができる。
【００５１】
（実施形態３の説明）
図１３は、この発明にかかるブロック玩具の実施形態３を示す。
図１３において、図１３（Ａ）は、ブロック体１１０（第１０ブロック体１１０）と吸盤体２とを示す平面図である。図１３（Ｂ）は、ブロック体１１０と吸盤体２とを示す断面図（図１３（Ａ）におけるＢ−Ｂ線断面図）である。
図１３中、図１〜図１２と同符号は、同一の物を示す。以下、この実施形態３にかかるブロック玩具のブロック体１１０の構成について説明する。
【００５２】
前記の実施形態２にかかるブロック玩具のブロック体の板部１および箱部１０は、射出成型から製造されているものである。これに対して、この実施形態３にかかるブロック玩具のブロック体１１０は、ブロー成型から製造されているものである。このために、前記ブロック体１１０は、中空形状をなし、かつ、６面の各辺が相互に直角に一体に連結されている。なお、前記ブロック体１１０は、この例では、ほぼ立方体形状をなす。
【００５３】
前記ブロック体１１０の一面には、吸盤体２を取り付けるためのスリット３が設けられている。前記スリット３は、前記の実施形態２のスリット３と同様のスリットである。前記スリット３は、前記ブロック体１１０の前記一面に対して直交する面（垂直面）から前記一面の中央までの間に設けられている。
前記ブロック体１１０の前記垂直面には、開口部３０が前記スリット３と連続して設けられている。前記開口部３０は、前記吸盤体２の止部２３を前記ブロック体１１０の内側に挿入位置させるためのものである。
前記スリット３の相対向する両壁面には、ストッパ凸部３１が対向する壁面側に一体に突設されている。前記ストッパ凸部３１は、前記の実施形態２のストッパ凸部３１と同様のストッパ凸部である。なお、前記吸盤体２は、前記の実施形態２の吸盤体２と同様の吸盤体である。
【００５４】
前記ブロック体１１０と前記吸盤体２とは、それぞれ、別個に製造されている。前記ブロック体１１０の前記スリット３および前記開口部３０に前記吸盤体２の挟み込み取付部２２および前記止部２３をそれぞれ挿入する。前記挟み込み取付部２２を前記ストッパ凸部３１を越して前記スリット３の奥に位置させる。
これにより、前記挟み込み取付部２２は、前記スリット３の両壁面の間に挟み込まれて取り付けられる。前記吸着部２１は、前記ブロック体１１０の外側に位置する。前記止部２３は、前記ブロック体１１０の内側に位置する。
なお、前記止部２３を吸着部として使用する場合には、前記止部２３を前記ブロック体１１０の外側に位置させ、かつ、前記吸着部２１を前記ブロック体１１０の内側に位置させる。
【００５５】
この実施形態３にかかるブロック玩具は、前記の構造からなるものであるから、前記の実施形態２にかかるブロック玩具の作用効果とほぼ同様の作用効果を達成することができる。
【００５６】
特に、この実施形態３にかかるブロック玩具は、ブロック体１１０がブロー成型から製造されているものであるから、射出成型から製造されている前記の実施形態２にかかるブロック玩具のブロック体の板部１および箱部１０と比較して、製造コストを安価にすることができる。しかも、この実施形態３にかかるブロック玩具は、軽量でかつ柔らかなブロック体１１０を提供することができる。
【００５７】
（実施形態４の説明）
図１４は、この発明にかかるブロック玩具の実施形態４を示す。
図１４において、図１４（Ａ）は、ブロック体１１１（第１１ブロック体１１１）と吸盤体２Ａとの取付状態を示す一部縦断面図（一部垂直断面図）である。図１４（Ｂ）は、ブロック体１１１と吸盤体２Ａとの取付状態を示す一部正面図である。図１４（Ｃ）は、ブロック体１１１と吸盤体２Ａとの分解状態を示す一部正面図である。
図１４中、図１〜図１３と同符号は、同一の物を示す。
【００５８】
前記の実施形態２、３にかかるブロック玩具は、吸盤体２をスリット３により、ブロック体の板部１および箱部１０、ブロック体１１０に取り付けるものである。これに対して、この実施形態４にかかるブロック玩具は、吸盤体２Ａを凸部１００により、ブロック体１１１に取り付けるものである。
【００５９】
前記ブロック体１１１は、ブロー成形（中空成形）や射出成型などの樹脂製からなる。前記ブロック体１１１には、前記吸盤体２Ａを取り付けるための前記凸部１００が一体に設けられている。前記凸部１００は、円柱形状をなしていて、前記ブロック体１１１の一面から外側に一体に突設している。
【００６０】
前記吸盤体２Ａは、吸着部２１と、挟み込み取付部２２と、嵌合取付部２５と、を有する。前記吸着部２１は、前記の実施形態１、２、３と同様に、吸着面２０を有する。前記吸着部２１は、前記ブロック体１１１の外側に位置する。
前記挟み込み取付部２２は、前記の実施形態２、３と同様に、円柱形状をなす。前記挟み込み取付部２２は、前記吸着部２１の前記吸着面２０に対して反対側の部分に一体に設けられている。
前記嵌合取付部２５は、前記吸着部２１の前記吸着面２０、すなわち、前記挟み込み取付部２２の前記吸着部２１に対して反対側の部分に一体に設けられている。前記嵌合取付部２５は、前記ブロック体１１１の外側に位置する。前記嵌合取付部２５は、円筒形状をなし、前記吸着部２１に対して反対側の面から前記吸着部２１側にかけて円柱形状の中空部を有する。前記嵌合取付部２５は、前記中空部を介して、前記凸部１００に外側から嵌合して取り付けられている。
【００６１】
この実施形態４にかかるブロック玩具は、前記の構造からなるものであるから、前記の実施形態１〜３にかかるブロック玩具の作用効果とほぼ同様の作用効果を達成することができる。
【００６２】
特に、この実施形態４にかかるブロック玩具は、ブロック体１１１に凸部１００を設け、吸盤体２Ａに嵌合取付部２５を設けたものである。このために、この実施形態４にかかるブロック玩具は、ブロック体１１１の凸部１００に吸盤体２Ａの嵌合取付部２５を外側から嵌合して取り付けることにより、ブロック体１１１に吸盤体２Ａを簡単に取り付けることができる。
【００６３】
しかも、この実施形態４にかかるブロック玩具は、ブロック体１１１に凸部１００を設けるだけであって、前記の実施形態２、３のように、ブロック体の板部１、ブロック体１１０にスリット３を設ける必要がないので、ブロック体１１１を簡単に製造することができる。
【００６４】
（実施形態５の説明）
図１５は、この発明にかかるブロック玩具の実施形態５を示す。
図１５において、図１５は、ブロック体１１０と吸盤体２Ａとの取付状態を示す一部縦断面図（一部垂直断面図）である。
図１５中、図１〜図１４と同符号は、同一の物を示す。
【００６５】
この実施形態５にかかるブロック玩具は、前記の実施形態３にかかるブロック玩具のブロック体１１０と、前記の実施形態４にかかるブロック玩具の吸盤体２Ａと、を使用するものである。
前記の実施形態４にかかるブロック玩具の吸盤体２Ａの嵌合取付部２５の外形幅は、前記の実施形態３にかかるブロック玩具の吸盤体２の止部２３の外形幅Ｗ３と同様に、前記の実施形態３にかかるブロック玩具のブロック体１１０のスリット３の両壁面の幅Ｗ２よりも大きい。
前記の実施形態４にかかるブロック玩具の吸盤体２Ａの嵌合取付部２５は、前記の実施形態３にかかるブロック玩具の吸盤体２の止部２３と兼用する。
【００６６】
この実施形態５にかかるブロック玩具は、前記の構造からなるものであるから、前記の実施形態１〜４にかかるブロック玩具の作用効果とほぼ同様の作用効果を達成することができる。
【００６７】
特に、この実施形態５にかかるブロック玩具は、吸盤体２Ａの嵌合取付部２５が吸盤体２の止部２３と兼用するものである。このために、この実施形態５にかかるブロック玩具は、吸盤体２Ａを、スリット３が設けられているブロック体１１０と、凸部１００が設けられているブロック体１１１と、の双方に使用することができる。
【００６８】
なお、この実施形態５にかかるブロック玩具においては、ブロック体として、前記の実施形態３にかかるブロック玩具のブロック体１１０を使用するものである。ところが、この実施形態５にかかるブロック玩具においては、ブロック体として、前記の実施形態２にかかるブロック玩具のブロック体の板部１および箱部１０を使用するものであっても良い。
【００６９】
（実施形態６の説明）
図１６は、この発明にかかるブロック玩具の実施形態６を示す。図１６中、図１〜図１５と同符号は、同一の物を示す。
【００７０】
図１６（Ａ）に示す吸盤体２Ｂは、吸着部２１と、挟み込み取付部２２と、板形状の止部２６と、を有する物である。図１６（Ｂ）に示す吸盤体２Ｃは、吸着部２１と、挟み込み取付部２２と、球形状の止部２７と、を有する物である。
【００７１】
この実施形態６にかかるブロック玩具は、前記の構造からなるものであるから、前記の実施形態１〜５にかかるブロック玩具の作用効果とほぼ同様の作用効果を達成することができる。
【００７２】
（実施形態７の説明）
図１７、図１８は、この発明にかかるブロック玩具の実施形態７を示す。図１７は、ブロック体と吸盤体の説明図である。図１８は、使用状態の説明図である。図１７、図１８中、図１〜図１６と同符号は、同一の物を示す。
【００７３】
この実施形態７にかかるブロック玩具は、ブロック体１１２、１１３、１１４、１１５、１１６、１１７、１１８、１１９（以下、「１１２〜１１９」と称する場合がある）と、吸着面を有する吸盤体２と、を備える。前記ブロック体１１２〜１１９には、少なくとも１個の前記吸盤体２のうち前記吸着面に対して反対側の部分が取り付けられている。
【００７４】
前記ブロック体は、第１２ブロック体１１２、第１３ブロック体１１３、第１４ブロック体１１４、第１５ブロック体１１５、第１６ブロック体１１６、第１７ブロック体１１７、第１８ブロック体１１８、第１９ブロック体１１９を有する。前記ブロック体１１２〜１１９は、この例では、ブロー成形（中空成形）や射出成型などの樹脂製からなる。
なお、前記ブロック体１１２〜１１９としては、樹脂製以外に木製等であっても良い。前記ブロック体１１２〜１１９は、以下、説明するように、種々様々な形状をなしている。
【００７５】
前記第１２ブロック体１１２は、ロボットの頭部を模した形状をなす。前記第１３ブロック体１１３は、ロボットの胴部を模した形状をなす。前記第１４ブロック体１１４は、ロボットのＶ字形状の胸当てや翼を模した形状をなす。前記第１５ブロック体１１５は、ロボットのロケット部などを模した形状をなす。前記第１６ブロック体１１６は、ロボットの腕部を模した形状をなす。前記第１７ブロック体１１７は、ロボットの手部を模した形状をなす。前記第１８ブロック体１１８は、ロボットの脚部を模した形状をなす。前記第１９ブロック体１１９は、ロボットの足部を模した形状をなす。
前記ブロック体１１２〜１１９を前記吸盤体２の前記吸着面を介して連結することにより、図１８に示すように、ロボットを組み立てることができる。
【００７６】
この実施形態７にかかるブロック玩具は、前記の構造からなるものであるから、前記の実施形態１〜６にかかるブロック玩具の作用効果とほぼ同様の作用効果を達成することができる。
【００７７】
（実施形態８の説明）
図１９、図２０は、この発明にかかるブロック玩具の実施形態８を示す。図１９は、ブロック体と吸盤体の説明図である。図２０は、使用状態の説明図である。図１９、図２０中、図１〜図１８と同符号は、同一の物を示す。
【００７８】
この実施形態８にかかるブロック玩具は、前記の実施形態７にかかるブロック玩具の第１３ブロック体１１３、第１４ブロック体１１４、第１６ブロック体１１６、第１８ブロック体１１８、第１９ブロック体１１９と、第２０ブロック体１２０と、第２１ブロック体１２１と、吸着面を有する吸盤体２と、を備える。前記第２０ブロック体１２０、前記第２１ブロック体１２１には、少なくとも１個の前記吸盤体２のうち前記吸着面に対して反対側の部分が取り付けられている。
【００７９】
前記第２０ブロック体１２０、前記第２１ブロック体１２１は、この例では、ブロー成形（中空成形）や射出成型などの樹脂製からなる。なお、前記第２０ブロック体１２０、前記第２１ブロック体１２１としては、樹脂製以外に木製等であっても良い。前記第２０ブロック体１２０は、翼を模した形状をなす。前記第２１ブロック体１２１は、車輪を模した形状をなす。前記第２１ブロック体１２１は、前記吸盤体２を有する部分と、他の部分とが、前記吸着面に対して垂直な軸回りに相互に回転可能に構成されている。
前記ブロック体１１３、１１４、１１６、１１８〜１２１を前記吸盤体２の前記吸着面を介して連結することにより、図２０に示すように、走行車両を組み立てることができる。
【００８０】
この実施形態８にかかるブロック玩具は、前記の構造からなるものであるから、前記の実施形態１〜７にかかるブロック玩具の作用効果とほぼ同様の作用効果を達成することができる。
【００８１】
（実施形態９の説明）
図２１、図２２は、この発明にかかるブロック玩具の実施形態９を示す。図２１は、ブロック体と吸盤体の説明図である。図２２は、使用状態の説明図である。図２１、図２２中、図１〜図２０と同符号は、同一の物を示す。
【００８２】
この実施形態９にかかるブロック玩具は、前記の実施形態７にかかるブロック玩具の第１３ブロック体１１３、第１４ブロック体１１４、第１５ブロック体１１５、第１６ブロック体１１６、第１７ブロック体１１７、第１９ブロック体１１９と、前記の実施形態８にかかるブロック玩具の第２０ブロック体１２０、第２１ブロック体１２１と、第２２ブロック体１２２と、吸着面を有する吸盤体２、２Ａと、を備える。前記第２２ブロック体１２２には、少なくとも１個の前記吸盤体２Ａのうち前記吸着面に対して反対側の部分が取り付けられている。
【００８３】
前記第２２ブロック体１２２は、この例では、ブロー成形（中空成形）や射出成型などの樹脂製からなる。なお、前記第２２ブロック体１２２としては、樹脂製以外に木製等であっても良い。前記第２２ブロック体１２２は、翼を模した形状をなす。
前記ブロック体１１３、１１７、１１９〜１２１、１２２を前記吸盤体２の前記吸着面を介して連結することにより、図２２に示すように、飛行物体を組み立てることができる。
【００８４】
この実施形態９にかかるブロック玩具は、前記の構造からなるものであるから、前記の実施形態１〜８にかかるブロック玩具の作用効果とほぼ同様の作用効果を達成することができる。
【００８５】
（実施形態１０の説明）
図２３〜図２５は、この発明にかかるブロック玩具の実施形態１０を示す。図２３は、ブロック体と吸盤体の説明図である。図２４は、吸盤体を示す説明図である。図２５は、吸盤体を示す説明図である。図２３〜図２５中、図１〜図２２と同符号は、同一の物を示す。
図２３において、図２３（Ａ）は、第２３ブロック体１２３と吸盤体２Ｄとを示す使用状態の説明図である。図２３（Ｂ）は、第２４ブロック体１２４と吸盤体２Ｄとを示す使用状態の説明図である。
【００８６】
この実施形態１０にかかるブロック玩具は、ブロック体１２３、１２４と、吸盤体２Ｄ（２Ｅ、２Ｆ、２Ｇ、２Ｈ）と、を備える。
【００８７】
（ブロック体１２３、１２４の説明）
前記ブロック体１２３、１２４、すなわち、第２３ブロック体１２３、第２４ブロック体１２４は、この例では、ブロー成形（中空成形）や射出成型などの樹脂製からなる。なお、前記ブロック体１２３、１２４としては、樹脂製以外に木製等であっても良い。
【００８８】
前記第２３ブロック体１２３は、中空状もしくは中実状の直方体形状をなし、６面全面が閉塞されている。角部は、面取りされている。前記第２４ブロック体１２４は、中空状の直方体形状をなし、１面１２５が開放されていて残りの５面が閉塞されている。角部は、面取りされている。なお、前記第２４ブロック体１２４においては、相対向する２面が開放されていて残りの４面が閉塞されているものであっても良い。前記第２４ブロック体１２４においては、１面もしくは２面が開放面１２５であるから、他のブロック体と異なった遊び方ができる。たとえば、開放面１２５に他のブロック体を嵌め込んだりして遊ぶことができる。
【００８９】
（吸盤体２Ｄの説明）
図２４において、図２４（Ａ）は、吸盤体２Ｄを示す正面図である。図２４（Ｂ）は、吸盤体２Ｄを示す斜視図である。
【００９０】
前記吸盤体２Ｄには、前記ブロック体１２３、１２４の面やその他の物体（この発明にかかるブロック玩具のブロック体、あるいは、その他のブロック玩具のブロック体を含む）の面に吸着する吸着面２０Ｄが２個設けられている。すなわち、前記吸盤体２Ｄは、円柱形状の軸部２２Ｄと、前記軸部２２Ｄの両側部分に一体に設けた２個の吸着部２１Ｄと、から構成されている。２個の前記吸着部２１Ｄの前記軸部２２Ｄに対して反対側の部分には、前記吸着面２０Ｄがそれぞれ設けられている。
なお、前記吸盤体２Ｄにおいて、前記軸部２２Ｄを、挟み込み取付部２２として利用することができる。この場合において、２個の前記吸着部２１Ｄのうち、いずれか一方の前記吸着部２１Ｄは、止部２３として利用される。
【００９１】
この実施形態１０にかかるブロック玩具は、前記の構造からなるものであるから、前記の実施形態１〜９にかかるブロック玩具の作用効果とほぼ同様の作用効果を達成することができる。
【００９２】
特に、この実施形態１０にかかるブロック玩具は、吸盤体２Ｄに２個の吸着面２０Ｄを設けたものである。このために、図２３（Ａ）、（Ｂ）に示すように、１個の吸盤体２Ｄの２個の吸着面２０Ｄを、２個のブロック体１２３、１２４の面に、それぞれ吸着させる。すると、１個の吸盤体２Ｄで２個のブロック体１２３、１２４を連結することができる。
【００９３】
（吸盤体２Ｅの説明）
図２４において、図２４（Ｃ）は、吸盤体２Ｅを示す正面図である。図２４（Ｄ）は、吸盤体２Ｅを示す斜視図である。
【００９４】
前記吸盤体２Ｅには、この発明にかかるブロック玩具のブロック体、あるいは、その他のブロック玩具のブロック体を含む物体の面に吸着する吸着面２０Ｅが２個設けられている。すなわち、前記吸盤体２Ｅは、円柱形状の軸部２２Ｅと、前記軸部２２Ｅの両側部分に一体に設けた２個の吸着部２１Ｅと、から構成されている。２個の前記吸着部２１Ｅの前記軸部２２Ｅに対して反対側の部分には、前記吸着面２０Ｅがそれぞれ設けられている。
この吸盤体２Ｅの軸部２２Ｅの径は、前記の吸盤体２Ｄの軸部２２Ｄの径よりも大である。また、この吸盤体２Ｅの吸着面２０Ｅおよび吸着部２２Ｅの深さ（もしくは高さ）は、前記の吸盤体２Ｄの吸着面２０Ｄおよび吸着部２２Ｄの深さ（もしくは高さ）よりも大である。
なお、前記吸盤体２Ｅにおいて、前記軸部２２Ｅを、挟み込み取付部２２として利用することができる。この場合において、２個の前記吸着部２１Ｅのうち、いずれか一方の前記吸着部２１Ｅは、止部２３として利用される。
この１個の吸盤体２Ｅの２個の吸着面２０Ｅを、２個のブロック体の面に、それぞれ吸着させる。すると、１個の吸盤体２Ｅで２個のブロック体を連結することができる。
【００９５】
（吸盤体２Ｆの説明）
図２５（Ａ）は、吸盤体２Ｆを示す斜視図である。前記吸盤体２Ｆには、この発明にかかるブロック玩具のブロック体、あるいは、その他のブロック玩具のブロック体を含む物体の面に吸着する吸着面２０Ｆが３個設けられている。すなわち、前記吸盤体２Ｆは、１２０°の開角度で３方に伸びた３本の軸部２２Ｆと、３本の前記軸部２２Ｆの先端部分に一体に設けた３個の吸着部２１Ｆと、から構成されている。３個の前記吸着部２１Ｆの前記軸部２２Ｆに対して反対側の部分には、前記吸着面２０Ｆがそれぞれ設けられている。
この１個の吸盤体２Ｆの３個の吸着面２０Ｆを、３個のブロック体の面に、それぞれ吸着させる。すると、１個の吸盤体２Ｆで３個のブロック体を連結することができる。なお、２個のブロック体を連結するものであっても良い。
【００９６】
（吸盤体２Ｇの説明）
図２５（Ｂ）は、吸盤体２Ｇを示す斜視図である。前記吸盤体２Ｇには、この発明にかかるブロック玩具のブロック体、あるいは、その他のブロック玩具のブロック体を含む物体の面に吸着する吸着面２０Ｇが４個設けられている。すなわち、前記吸盤体２Ｇは、９０°の開角度で４方に伸びた４本の軸部２２Ｇと、４本の前記軸部２２Ｇの先端部分に一体に設けた４個の吸着部２１Ｇと、から構成されている。４個の前記吸着部２１Ｇの前記軸部２２Ｇに対して反対側の部分には、前記吸着面２０Ｇがそれぞれ設けられている。
この１個の吸盤体２Ｇの４個の吸着面２０Ｇを、４個のブロック体の面に、それぞれ吸着させる。すると、１個の吸盤体２Ｇで４個のブロック体を連結することができる。なお、２個もしくは３個のブロック体を連結するものであっても良い。
【００９７】
（吸盤体２Ｈの説明）
図２５（Ｃ）は、吸盤体２Ｈを示す斜視図である。前記吸盤体２Ｈには、この発明にかかるブロック玩具のブロック体、あるいは、その他のブロック玩具のブロック体を含む物体の面に吸着する吸着面２０Ｈが６個設けられている。すなわち、前記吸盤体２Ｈは、相互に直交する３本の軸部２２Ｈと、３本の前記軸部２２Ｈの両端部分に一体に設けた６個の吸着部２１Ｈと、から構成されている。６個の前記吸着部２１Ｈの前記軸部２２Ｈに対して反対側の部分には、前記吸着面２０Ｈがそれぞれ設けられている。
この１個の吸盤体２Ｈの４個の吸着面２０Ｈを、６個のブロック体の面に、それぞれ吸着させる。すると、１個の吸盤体２Ｈで６個のブロック体を連結することができる。なお、２個〜５個のブロック体を連結するものであっても良い。
【００９８】
（実施形態１〜１０以外の例の説明）
なお、この実施形態１においては、ロボットに使用した例について説明するものである。ところが、この発明においては、ロボット以外に、ドラゴン、ヘリコプタ、自動車、などに使用した例であっても良い。
【００９９】
また、この実施形態２、３、５においては、スリット３の相対向する両壁面にストッパ凸部３１を対向する壁面側に一体に突設したものである。ところが、この発明においては、スリット３の相対向する両壁面のうち一壁面にストッパ凸部３１を対向する壁面側に一体に突設したものであっても良い。
【０１００】
なお、この発明は、前記の実施形態１〜１０により限定されるものではない。
【符号の説明】
【０１０１】
１  板部
１０  箱部
１０１  開口部
１１  ブロック体（第１ブロック体）
１２  ブロック体（第２ブロック体）
１３  ブロック体（第３ブロック体）
１４  ブロック体（第４ブロック体）
１５  ブロック体（第５ブロック体）
１６  ブロック体（第６ブロック体）
１６０  透孔
１６１  溝
１７  ブロック体（第７ブロック体）
１８  ブロック体（第８ブロック体）
１９  ブロック体（第９ブロック体）
１１０  ブロック体（第１０ブロック体）
１１１  ブロック体（第１１ブロック体）
１００  凸部
１１２  ブロック体（第１２ブロック体）
１１３  ブロック体（第１３ブロック体）
１１４  ブロック体（第１４ブロック体）
１１５  ブロック体（第１５ブロック体）
１１６  ブロック体（第１６ブロック体）
１１７  ブロック体（第１７ブロック体）
１１８  ブロック体（第１８ブロック体）
１１９  ブロック体（第１９ブロック体）
１２０  ブロック体（第２０ブロック体）
１２１  ブロック体（第２１ブロック体）
１２２  ブロック体（第２２ブロック体）
１２３  ブロック体（第２３ブロック体）
１２４  ブロック体（第２４ブロック体）
１２５  開放面
２、２Ａ、２Ｂ、２Ｃ、２Ｄ、２Ｅ、２Ｆ、２Ｇ、２Ｈ  吸盤体
２０、２４、２０Ｄ、２０Ｅ、２０Ｆ、２０Ｇ、２０Ｈ  吸着面
２１、２１Ｄ、２１Ｅ、２１Ｆ、２１Ｇ、２１Ｈ  吸着部
２２  挟み込み取付部
２２Ｄ、２２Ｅ、２２Ｆ、２２Ｇ、２２Ｈ  軸部
２３、２６、２７  止部
２５  嵌合取付部
３  スリット
３０  開口部
３１  ストッパ凸部
Ｗ１、Ｗ３  外形幅
Ｗ２  幅
【図１】
2017124147.tif 000003
【図２】
2017124147.tif 000004
【図３】
2017124147.tif 000005
【図４】
2017124147.tif 000006
【図５】
2017124147.tif 000007
【図６】
2017124147.tif 000008
【図７】
2017124147.tif 000009
【図８】
2017124147.tif 000010
【図９】
2017124147.tif 000011
【図１０】
2017124147.tif 000012
【図１１】
2017124147.tif 000013
【図１２】
2017124147.tif 000014
【図１３】
2017124147.tif 000015
【図１４】
2017124147.tif 000016
【図１５】
2017124147.tif 000017
【図１６】
2017124147.tif 000018
【図１７】
2017124147.tif 000019
【図１８】
2017124147.tif 000020
【図１９】
2017124147.tif 000021
【図２０】
2017124147.tif 000022
【図２１】
2017124147.tif 000023
【図２２】
2017124147.tif 000024
【図２３】
2017124147.tif 000025
【図２４】
2017124147.tif 000026
【図２５】
2017124147.tif 000027